(57)【要約】【課題】歯科用シリンジにおいて、水噴射通路とエア噴射通路とを分離し、エアを使用して口腔内（特に、被治療部位）を乾燥する場合に、水回路内に付着している水が該エアによって一緒に噴射されないようにし、口腔内の乾燥を容易にし、かつ、口腔内（特に、被治療部位）の状態が見にくくなるのを防止する。【解決手段】水を噴射する内筒２３と、該内筒２３に対して同心のエアを噴射する外筒２５とから成る同心２重管のノズルチップ２０と、該ノズルチップを着脱自在に装着可能なシリンジ本体１０とから成る。シリンジ本体１０には、内筒２３への水通路を開閉する開閉弁と、前記外筒２５へのエア通路を開閉する開閉弁と、これら開閉弁を選択的に又は同時に開閉可能な操作レバーを有する。【選択図】図１
2007301107.tif 000002
【特許請求の範囲】
【請求項１】
水を噴射する内筒と、該内筒に対して同心のエアを噴射する外筒とから成る同心２重管のノズルチップと、該ノズルチップを着脱自在に装着可能なハンドピース本体とから成り、該ハンドピース本体には、前記内筒への水回路を開閉する開閉弁と、前記外筒へのエア回路を開閉する開閉弁と、これら開閉弁を選択的に又は同時に開閉可能な操作片を有することを特徴とする歯科用シリンジ。
【請求項２】
前記外筒の先端は、前記内筒の先端より前方に延長していることを特徴とする請求項１に記載の歯科用シリンジ。
【請求項３】
前記外筒の先端は、先細に絞られていることを特徴とする請求項２に記載の歯科用シリンジ。
【請求項４】
前記外筒の先端部内壁は、先細に傾斜していることを特徴とする請求項２に記載の歯科用シリンジ。
【請求項５】
前記外筒の先端と前記内筒の先端の間隔は、前記内筒から噴射される水が前記外筒の内壁に当らない距離に近接していることを特徴とする請求項１乃至４のいずれかに記載の歯科用シリンジ。
【請求項６】
前記内筒の外周部に光導体を有し、該光導体と前記外筒の間に前記空気通路を有することを特徴とする請求項１乃至５のいずれかに記載の歯科用シリンジ。
【請求項７】
前記ハンドピース本体内に光源を有し、該光源からの光を前記光導体を通して該光導体の先端から放射するようにしたことを特徴とする請求項６に記載の歯科用シリンジ。
【請求項８】
歯科用シリンジに着脱自在に装着されるノズルチップであって、該ノズルチップは内筒と該内筒と同心の外筒とから成る２重管で構成され、前記内筒には、前記シリンジから水が供給され、前記外筒には、前記シリンジからエアが供給されることを特徴とする歯科シリンジ用ノズルチップ。
【請求項９】
前記外筒の先端は、前記内筒の先端より前方に延長していることを特徴とする請求項８に記載の歯科シリンジ用ノズルチップ。
【請求項１０】
前記外筒の先端は、先細に絞られていることを特徴とする請求項９に記載の歯科シリンジ用ノズルチップ。
【請求項１１】
前記外筒の先端部内壁は、先細に傾斜していることを特徴とする請求項９に記載の歯科シリンジ用ノズルチップ。
【請求項１２】
前記外筒の先端と前記内筒の先端の間隔は、前記内筒から噴射される水が前記外筒の内壁に当らない距離に近接していることを特徴とする請求項９乃至１１のいずれかに記載の歯科シリンジ用ノズルチップ。
【請求項１３】
前記内筒の外周部に光導体を有し、該光導体と前記外筒の間に前記空気通路を有することを特徴とする請求項１２に記載の歯科シリンジ用ノズルチップ。
【発明の詳細な説明】
【技術分野】
【０００１】
本発明は、歯科治療において、水、エア、又は、スプレ（エアと水との混合流）を噴射して口腔内を清掃する歯科用シリンジ及び該歯科用シリンジと共に用いて好適なノズルチップに関し、より詳細には、水を噴射する通路とエアを噴射する通路とを分離し、エアを噴射して口腔内を乾燥する時に、水通路内の残留水が一緒に噴射されて口腔内を湿らせて乾燥を遅らせ、更には、エアと一緒に噴射された水によって被清掃部位（被治療部位）が見にくくなるのを防止するようにした歯科用シリンジ及び該歯科用シリンジと共に用いて好適なノズルチップに関する。
【背景技術】
【０００２】
図３は、従来の歯科用シリンジの使用例を説明するための全体斜視図で、図中、１０は水噴射用レバー１、エア噴射用レバー２等を有する歯科用ハンドピース（シリンジ）本体、２０は該歯科用シリンジ本体１０に着脱自在に装着されたノズルチップ、３０は図示しない歯科治療用ユニットに連絡され、該歯科治療用ユニットからエア及び水が供給されてくるホースで、周知のように、例えば、レバー１を押すと水がノズルチップ２０の先端より噴射され、レバー２を押すとエアがノズルチップ２０の先端より噴射され、レバー１と２を同時に押すとスプレ（エアと水の混合流）がノズルチップ２０の先端より噴射され、使用に応じて、前記レバー１，２を前述のごとき３通りの押し方の１つを選んで押すことにより、水、エア、又は、スプレを患者の口腔内に噴射し、該口腔内を清掃することができるようになっている。
【０００３】
図４は、シリンジ本体１０とノズルチップ２０との連結状態の一例を示す図で、図中、１１はシリンジ本体１０内に設けられた通路、２１はノズルチップ２０内に設けられた通路で、これら通路１１と２１とは、Ｏリング１２等により液密に連結されている。
【０００４】
従って、図３に示したレバー１又は２、又はレバー１及び２を操作すると、水又はエア、又は、水とエアの混合流（スプレ）が、通路１１、２１を通して、通路２１の先端（つまり、ノズルチップ２０の先端）から噴射される。而して、上述のごとき、歯科用シリンジにおいて、水又はスプレを噴射した後に、例えば、被治療部位を清掃又は乾燥して該被治療部位を見やすくするために、前記通路１１、２１を通してエアを噴射すると、該通路１１，１２の壁面に付着（残留）していた水が該エアと一緒に噴射され、却って被治療部位を湿らせてしまったり、該被治療部位を見にくくしてしまうという問題があった。
【発明の開示】
【発明が解決しようとする課題】
【０００５】
上述のように、水又はエア、又は水とエアの混合流（スプレ）を噴射して口腔内を清掃する場合に、従来の歯科用シリンジにおいては、水やスプレを使用して口腔内を清掃した後に、エアを使用して口腔内（特に、被治療部位）を乾燥する場合に、該噴射エア中にノズルチップ２０内に残っていた水が混じって飛散してしまい、逆に、口腔内を湿らせて、更には、飛散した水によって口腔内（被治療部位）の状態を見にくくしてしまうという問題があった。
【０００６】
本発明は、上述のごとき実情に鑑みてなされたもので、特に、歯科用シリンジにおいて、水噴射通路とエア噴射通路とを分離し、エアを使用して口腔内（特に、被治療部位）を乾燥する場合に、水回路内に付着している水が該エアによって一緒に噴射されないようにし、口腔内の乾燥を容易にし、かつ、口腔内（特に、被治療部位）の状態が見にくくなるのを防止することを目的としてなされたものである。
【課題を解決するための手段】
【０００７】
請求項１の発明は、水を噴射する内筒と、該内筒に対して同心のエアを噴射する外筒とから成る同心２重管のノズルチップと、該ノズルチップを着脱自在に装着可能なハンドピース（シリンジ）本体とから成り、該ハンドピース本体には、前記内筒への水回路を開閉する開閉弁と、前記外筒へのエア通路を開閉する開閉弁と、これら開閉弁を選択的に又は同時に開閉可能な操作片を有することを特徴としたものである。
【０００８】
請求項２の発明は、請求項１の発明において、前記外筒の先端は、前記内筒の先端より前方に延長していることを特徴としたものである。
【０００９】
請求項３の発明は、請求項２の発明において、前記外筒の先端は、先細に絞られていることを特徴としたものである。
【００１０】
請求項４の発明は、請求項２の発明において、前記外筒の先端部内壁は、先細に傾斜していることを特徴としたものである。
【００１１】
請求項５の発明は、請求項１乃至４のいずれかの発明において、前記外筒の先端と前記内筒の先端の間隔は、前記内筒から噴射される水が前記外筒の内壁に当らない距離に近接していることを特徴としたものである。
【００１２】
請求項６の発明は、請求項１乃至５のいずれかの発明において、前記内筒の外周部に光導体を有し、該光導体と前記外筒の間に前記空気通路を有することを特徴としたものである。
【００１３】
請求項７の発明は、請求項６の発明において、前記ハンドピース本体内に光源を有し、該光源からの光を前記光導体を通して該光導体の先端から放射するようにしたことを特徴としたものである。
【００１４】
請求項８の発明は、歯科用シリンジに着脱自在に装着されるノズルチップであって、該ノズルチップは内筒と該内筒と同心の外筒とから成る２重管で構成され、前記内筒には、前記シリンジから水が供給され、前記外筒には、前記シリンジからエアが供給されることを特徴としたものである。
【００１５】
請求項９の発明は、請求項８の発明において、前記外筒の先端は、前記内筒の先端より前方に延長していることを特徴としたものである。
【００１６】
請求項１０の発明は、請求項９の発明において、前記外筒の先端は、先細に絞られていることを特徴としたものである。
【００１７】
請求項１１の発明は、請求項９の発明において、前記外筒の先端部内壁は、先細に傾斜していることを特徴としたものである。
【００１８】
請求項１２の発明は、請求項９乃至１１のいずれかの発明において、前記外筒の先端と前記内筒の先端の間隔は、前記内筒から噴射される水が前記外筒の内壁に当らない距離に近接していることを特徴としたものである。
【００１９】
請求項１３の発明は、請求項１２の発明において、前記内筒の外周部に光導体を有し、該光導体と前記外筒の間に前記空気通路を有することを特徴としたものである。
【発明の効果】
【００２０】
本発明によると、歯科用シリンジにおいて、水通路とエア通路を分離し、エアを使用して口腔内（被治療部位）を乾燥する場合に、水通路内に付着していた水が該エアによって一緒に噴射されないようにしたので、口腔内の乾燥を容易にすることができ、かつ、口腔内（被治療部位）の状態が目視しやすくなった。
【発明を実施するための最良の形態】
【００２１】
図１は、本発明による歯科用シリンジの一実施例を説明するための要部（ノズルの噴射口近傍の）構成図で、本発明においては、ノズルチップ２０は、水噴射用の水通路２２を有する内筒２３と、該内筒２３に対して同心のエア通路２４を構成する外筒２５とから成る２重管にて構成されている。ノズルチップ２０の先端部Ａは図１中にＡ1にて拡大して示すように、エア通路２４を構成する外筒２５は水通路２２を構成する内筒２３により前方に延長し、該外筒２５の先端内壁面は、２５ａにて示すように、内側に向って傾斜しており、エア通路２４を通して送られてきたエアは、この傾斜面２５ａで絞られて中心に向い、水通路２２を通して水が送られてきた時は、この水と混合されてスプレとして噴射される。
【００２２】
上述のように、ノズルチップ２０の先端で水とエアを混合してスプレするようにするためには、ノズルチップ２０の先端まで水通路とエア通路とを分離しておく必要があり、そのためには、シリンジ本体１０においても、水通路１３とエア通路１４は分離されており、図３に示したレバー１，２を前述のごとく従来のシリンジと全く同じように操作することによって、これら水通路１３とエア通路１４に選択的に又は同時に水とエアを供給することができ、これらシリンジ本体１０の水通路１３及びエア通路１４を通した水及びエアがそれぞれノズルチップ２０の水通路２２及びエア通路２４に液密に供給され、ノズルチップ２０の先端からは、水又はエア、又は水とエアの混合流であるスプレを選択的に噴射することができる。
【００２３】
上述のように、本発明においては、ノズルチップ２０の先端まで水通路とエア通路とが分離されており、特に水通路を通して水を噴射し、又は、水通路とエア通路を通して水とエアとを同時に流してスプレを噴射して口腔内（特に、被治療部位）を清掃した後に、エア通路を通してエアを噴射して口腔内（被治療部位）の状態を観察する時に、水通路内に付着していた水が該エアと一緒に噴射されるようなことはなく、従って、エアと同時に噴射される水によって口腔内（被観察部位）に水が付着するようなことはなく、被観察部位を早急に乾燥することができる。
【００２４】
本発明においては、ノズルチップ２０の先端部において、内筒２３から噴射される水と外筒２５から噴射されるエアを混合させてスプレする必要があるが、そのためには、水の噴射口（内筒２３の先端）より前方で、該内筒２３から噴射された水にエアを混合する必要があり、そのため、エアの噴射口（外筒２５の先端）は内筒２３の先端より前方に延長し、かつ、噴射されたエアが内筒２３から噴射された水と混合するためには、該噴射されるエアを噴射された水に向ける必要がある。そのため、外筒２５の先端内壁は、図１において、Ａ1〜Ａ3にて示すように、噴射されたエアが中心軸（噴射水）に向って流れるよう傾斜面２５ａ、２６ａ、２７ａに形成されている。しかし、傾斜面２５ａ、２６ａ、２７ａが内筒２３の先端２３ａからあまり離れていると、内筒２３から噴射された水が、この外筒２５の傾斜面に付着してしまい、この付着した水がエア噴射時、該エアと一緒に噴射されてしまう恐れがある。そのためには、内筒２３の先端２３ａと外筒先端の傾斜面の先端とはあまり離すことなく、内筒２３から噴射された水が外筒２５の傾斜面に当らない程度に近接しておくとよい。
【００２５】
なお、外筒２５の先端傾斜面は、図示のように、外筒２５の先端部を先細に絞って形成しても（Ａ1）、或いは、外筒２５の先端部に先細の傾斜面２６ａを有する管２６を挿入、嵌合して形成しても（Ａ2）、更には、内面に先細の傾斜壁２７ａを有する短管２７を着脱自在に、或いは、固定する（Ａ3）ようにしてもよい。
【００２６】
図２は、本発明の他の実施例を説明するための要部概略構成図で、この実施例は、図１に示した実施例において、更に、内筒２３の外側に光導体（光ファイバ）２８を有し、この光導体２８を通してシリンジ本体１０内に設けられている光源からの光を伝達し、該光導体２８の先端から光を照射して被治療部位を見やすくしたものである。
【図面の簡単な説明】
【００２７】
【図１】本発明による歯科用シリンジの要部構成図である。
【図２】本発明によるノズルチップの他の実施例を示す要部概略構成図である。
【図３】本発明が適用される歯科用シリンジの一例を示す外観図である。
【図４】従来の歯科用シリンジの使用例を説明するための図である。
【符号の説明】
【００２８】
１…水噴射用レバー、２…エア噴射用レバー、１０…ハンドピース（シリンジ）本体、１１…水及びエア通路、１２…Ｏリング、１３…水通路、１４…エア通路、２０…ノズルチップ、２１…水及びエア通路、２２…水通路、２３…内筒、２３ａ…内筒先端、２４…エア通路、２５…外筒、２５ａ…外筒先端傾斜内壁、２６…管、２６ａ…傾斜面、２７…短管、２７ａ…傾斜壁、２８…光導体。
【図１】
2007301107.tif 000003
【図２】
2007301107.tif 000004
【図３】
2007301107.tif 000005
【図４】
2007301107.tif 000006